(57)【要約】【課題】  遠赤外線を浴びる入浴を行う場合であっても、リラックス感を十分に得ることができる入浴装置を提供する。【解決手段】  寝床３を構成する背部用部材８、上腿載置用部材１０、下腿載置用部材１１に、遠赤外線を放射するブロック板２２を、その表面が外部に露出するようにしつつ埋設すると共に、上記各部材８，１０，１１の姿勢を変更可能とする。これにより、寝床３を、入浴者の思いのままの形状に形成できるようにし、いわゆる岩盤浴において、入浴者の寝床での姿勢の自由度を高める。【選択図】        図２
0003117286.tif 000002
【実用新案登録請求の範囲】
【請求項１】
遠赤外線を放射する寝床を備える入浴装置において、
前記寝床が、複数の寝床構成部材を連続的に配置することにより構成されていると共に、該寝床構成部材が、起倒伏方向に姿勢変更可能とされ、
前記複数の寝床構成部材のうち、少なくとも一つの寝床構成部材に、遠赤外線を放射するブロック板が、該ブロック板の表面を寝床構成部材の表面から露出するようにしつつ埋設されている、
ことを特徴とする入浴装置。
【請求項２】
請求項１において、
前記複数の寝床構成部材として、少なくとも、背部用部材と、上腿載置用部材と、下腿載置用部材とが、順次、設けられ、
前記背部用部材が、前記上腿載置用部材に近い側の端部を回動支点として、起立方向において姿勢変更可能とされ、
前記上腿載置用部材が、前記背部用部材に近い側の端部を回動支点として、起立方向において姿勢変更可能とされ、
前記下腿載置用部材が、前記上腿載置用部材に連なるように該上腿載置用部材の起立端部に回動可能に連結されている、
ことを特徴とする入浴装置。
【請求項３】
請求項２において、
前記背部用部材と前記上腿載置用部材とに、該背部用部材と該上腿載置用部材との間付近においてクッション部材が設けられていると共に、前記上腿載置用部材と前記下腿載置用部材とに、該上腿載置用部材と該下腿載置用部材との間付近においてクッション部材が設けられている、
ことを特徴とする入浴装置。
【請求項４】
請求項３において、
前記背部用部材と前記上腿載置用部材との間に座部用部材が設けられ、
前記座部用部材の表面側が、クッション部材により形成されている、
ことを特徴とする入浴装置。
【請求項５】
請求項２において、
前記背部用部材、前記上腿載置用部材及び前記下腿載置用部材に、前記ブロック板がそれぞれ設けられ、
前記背部用部材のブロック板と前記上腿載置用部材のブロック板との間、前記上腿載置用部材のブロック板と前記下腿載置用部材のブロック板との間に、クッション部材がそれぞれ設けられている、
ことを特徴とする入浴装置。
【請求項６】
請求項２〜５のいずれかにおいて、
前記背部用部材と、上腿載置用部材と、下腿載置用部材とに、その各部材の表面内方側において、前記ブロック板が、略全体的にそれぞれ埋設され、
前記背部用部材、前記上腿載置用部材及び前記下腿載置用部材の各表面側が、前記ブロック板の周囲において、クッション部材をもって形成されている、
ことを特徴とする入浴装置。
【請求項７】
請求項１〜６のいずれかにおいて、
前記ブロック板が、黒鉛珪石を含有している、
ことを特徴とする入浴装置。
【請求項８】
請求項１〜７のいずれかにおいて、
前記各ブロック板の下側に、該ブロック板の温度を所定温度とするための熱供給手段が配設されている、
ことを特徴とする入浴装置。
【考案の詳細な説明】
【技術分野】
【０００１】
本考案は、遠赤外線を浴びる入浴装置に関する。
【背景技術】
【０００２】
乾式入浴法として、岩盤浴が注目されている。岩盤浴は、温められた岩盤(天然鉱石）の横たわり、その岩盤より放射される遠赤外線を浴びる入浴法であり、この岩盤浴により、細胞の活性化、発汗作用を促すことができ、自然治癒力を高めることができる。
【０００３】
近年、この岩盤浴を手軽で且つ低コストをもって楽しむべく、岩盤浴装置(入浴装置）が開発されつつある。その岩盤浴装置としては、例えば特許文献１に示すように、等身大の箱状の寝床に、遠赤外線効果とマイナスイオン効果を発揮するセラミックスを敷き詰めたものが提案されている。
【０００４】
【特許文献１】特開２００５−２４５６３１号公報
【考案の開示】
【考案が解決しようとする課題】
【０００５】
しかし、上記岩盤浴装置(入浴装置）においては、岩盤浴中は寝床に伏していなければならず、その間、その伏した姿勢に拘束されることになる。このため、岩盤浴によりリラックス感を得ることができるとしても、その程度は、十分とは言えない。
【０００６】
本考案は以上のような事情に鑑みてなされたもので、その技術的課題は、遠赤外線を浴びる入浴を行う場合であっても、リラックス感を十分に得ることができる入浴装置を提供することにある。
【課題を解決するための手段】
【０００７】
前記技術的課題を達成するために本考案（請求項１に係る考案）においては、
遠赤外線を放射する寝床を備える入浴装置において、
前記寝床が、複数の寝床構成部材を連続的に配置することにより構成されていると共に、該寝床構成部材が、起倒伏方向に姿勢変更可能とされ、
前記複数の寝床構成部材のうち、少なくとも一つの寝床構成部材に、遠赤外線を放射するブロック板が、該ブロック板の表面を寝床構成部材の表面から露出するようにしつつ埋設されている構成としてある。この請求項１の好ましい態様としては、請求項２以下の記載の通りとなる。
【考案の効果】
【０００８】
請求項１に記載された考案によれば、寝床を構成する複数の寝床構成部材の少なくとも一つに遠赤外線を放射するブロック板が埋設され、その寝床構成部材の姿勢を変更できることから、入浴者は、寝床構成部材の姿勢を変更して、寝床を思いのままの形状に形成でき、入浴者の寝床での姿勢の自由度を高めることができる。このため、遠赤外線を浴びる入浴を行う場合であっても、リラックス感を十分に得ることができる入浴装置を提供できる。
しかもこの場合、寝床構成部材の姿勢を変更するとしても、遠赤外線を放射するものがブロック板であることから、寝床構成部材に的確に保持でき（取付けることができ）、遠赤外線を放射するものとして、多数の鉱石を充填状態で用いる場合のように姿勢変更に伴いこぼれ出て、遠赤外線を浴びる入浴を行うことができなくなるおそれはない。
【０００９】
請求項２に記載された考案によれば、複数の寝床構成部材として、少なくとも、背部用部材と、上腿載置用部材と、下腿載置用部材とが、順次、設けられ、背部用部材が、上腿載置用部材に近い側の端部を回動支点として、起立方向において姿勢変更可能とされ、上腿載置用部材が、背部用部材に近い側の端部を回動支点として、起立方向において姿勢変更可能とされ、下腿載置用部材が、上腿載置用部材に連なるように該上腿載置用部材の起立端部に回動可能に連結されていることから、背部用部材を起立姿勢（傾斜状態を含む）にでき、さらには、上腿載置用部材の起立に連動させて下腿載置用部材を起立させ、その両者の連結部分付近を持ち上がった姿勢（山形状）にできる。このため、入浴者の上半身を起こした状態にできると共に、膝部分を、上腿載置用部材と下腿載置用部材との連結部分にあてがって、膝を曲げた状態にでき、入浴者は、いわゆる岩盤浴において、極めて自然体で楽な姿勢をとることができる。
しかも、背部用部材を起立姿勢にできることから、入浴者の上半身を自由にすることができ、読書、ゲーム、手編み等の岩盤浴以外のことをも行うことができる。
【００１０】
請求項３に記載された考案によれば、背部用部材と上腿載置用部材とに、該背部用部材と該上腿載置用部材との間付近においてクッション部材が設けられていると共に、上腿載置用部材と下腿載置用部材とに、該上腿載置用部材と該下腿載置用部材との間付近においてクッション部材が設けられていることから、入浴者が上半身を起こした状態で膝を曲げた姿勢をとっている場合において、入浴者の尻部分からの荷重、膝部分からの荷重をクッション部材を介して効果的に逃がすことができ、当該姿勢を、一層、快適な状態で維持できる。
【００１１】
請求項４に記載された考案によれば、背部用部材と上腿載置用部材との間に座部用部材が設けられ、座部用部材の表面側が、クッション部材により形成されていることから、大柄な入浴者であっても、その入浴者の尻部分を座部用部材で的確に受け止めて、その尻部分からの荷重を、座部用部材におけるクッション部材により効果的に逃がすことができる。
【００１２】
請求項５に記載された考案によれば、背部用部材、上腿載置用部材及び下腿載置用部材に、ブロック板がそれぞれ設けられ、背部用部材のブロック板と上腿載置用部材のブロック板との間、上腿載置用部材のブロック板と下腿載置用部材のブロック板との間に、クッション部材がそれぞれ設けられていることから、入浴者が、上半身を起こした状態で膝を曲げた姿勢をとりつついわゆる岩盤浴を行っている場合において、入浴者の尻部分からの荷重、膝部分からの荷重をクッション部材を介して効果的に逃がすことができ、当該姿勢を、一層、快適な状態にしつつ、岩盤浴を行うことができる。
【００１３】
請求項６に記載された考案によれば、背部用部材と、上腿載置用部材と、下腿載置用部材とに、その各部材の表面内方側において、ブロック板が、略全体的にそれぞれ埋設され、背部用部材、上腿載置用部材及び下腿載置用部材の各表面側が、ブロック板の周囲においてクッション部材をもって形成されていることから、背部用部材、上腿載置用部材及び下腿載置用部材の各大きなブロック板により、いわゆる岩盤浴を効果的に行うことができると共に、姿勢が変わって入浴者からの荷重が作用しやすい各部材の境界付近において、クッション部材を存在させて、その局部的な荷重を効果的に逃がすことができる(入浴者の快適性確保）。
【００１４】
請求項７に記載された考案によれば、ブロック板が黒鉛珪石を含有していることから、ブロック板を利用することにより、遠赤外線効果、マイナスイオン効果等、いわゆる岩盤浴効果を的確に得ることができる。
【００１５】
請求項８に記載された考案によれば、各ブロック板の下側に、該ブロック板の温度を所定温度とするための熱供給手段が配設されていることから、遠赤外線効果等を発揮するために最適な状態にでき、岩盤浴を効果的に行うことができる。
【考案を実施するための最良の形態】
【００１６】
以下、本考案の実施形態について図面に基づいて説明する。
図１〜図５において、符号１は、実施形態に係る入浴装置(岩盤浴装置）である。この入浴装置１は、支持台２と、寝床３とからなり、支持台２上に寝床３が形成されている。
【００１７】
前記支持台２は、図１，図２に示すように、枠体４と、４つの脚５とからなる。枠体４は、一定間隔をあけて延びる長尺な一対の支持部材６と、その一対の支持部材６を長手方向両端部において連結する一対の連結部材７とにより形成されており、その枠体４の長手方向長さ（支持部材６の長手方向長さ）は、人間の平均身長よりも多少、長めに設定され、その枠体４の幅方向長さ（一対の支持部材６間の長さ）は、人間の横幅よりも多少、長く設定されている。脚５は、枠体４の四隅部にそれぞれ設けられており、その４つの脚５は、枠体４を一定の高さ(例えば人間の膝程度の高さ）に維持している。
【００１８】
前記寝床３は、図１〜図３に示すように、複数の寝床構成部材として、背部用部材８と、座部用部材９と、上腿載置用部材１０と、下腿載置用部材１１とを備えている。この背部用部材８、座部用部材９、上腿載置用部材１０及び下腿載置用部材１１は、支持台２の一対の支持部材６を跨るようにして、支持台２の長手方向一方側（図２，図３中、右側）から他方側（図２，図３中、左側）に向けて連続的に配置されている。
【００１９】
前記背部用部材８は、図３に示すように、支持台２上に倒伏させた状態（略水平状態）において、その支持台２の長手方向に比較的長く延ばされており、その長さは、入浴者（例えば大人）の上半身が余裕をもって支えられる長さに設定されている。この背部用部材８は、図４に示すように、支持板（例えば鉄板）１２とクッション部材１３との積層構造とされている。支持板１２は、背部用部材８の下面側を構成しており、その支持板１２は、クッション部材１３の下面略全体に亘って取付けられている。これにより、支持板１２は、背部用部材８の曲げ剛性を高めると共に、支持台２（受け部を符号１４をもって示す）に対する当接面を構成している。
【００２０】
前記クッション部材１３は、背部用部材８の上面部（表面部）を構成することになっている。クッション部材１３は、表皮１５と、その内部に充填されるウレタン等のクッション材料１６とから構成されており、このクッション部材１３により、入浴者は、緩衝作用を得ることができることになっている。このクッション部材１３には、矩形形状の取付け孔１７が形成されている。取付け孔１７は、比較的広い開口面をもってクッション部材１３をその厚み方向において貫通しており、その取付け孔１７を介して前記支持板１２が外部に臨むことになっている。尚、このクッション部材１３の下部には、取付け孔１７の周囲において補強板４０が設けられており、この補強板４０は、クッション部材１３の下部剛性を高めている。
【００２１】
前記クッション部材１３の取付け孔１７には、図４に示すように、収納箱１８がその開口を上方に向けた状態で嵌合保持され、その収納箱１８内には、下側から上側に向けて順に、断熱材１９、熱供給手段としてのヒータ２０、保護板（例えばベニヤ板）２１、ブロック板２２が収納されている。断熱材１９は、ヒータ２０の熱が下側に逃げる（移動する）ことを抑制することを目的としており、この熱の移動抑制により、ブロック板２２にヒータ２０の熱が導かれることになっている。ヒータ２０は、ブロック板２２に熱を付与することを目的としており、このヒータ２０は、図外の操作スイッチにより、ＯＮ，ＯＦＦ操作、電流調整（温度調整）が可能となっている。保護板２１は、ブロック板２２からヒータ２０を保護することを目的としており、この保護板２１は、ヒータ２０の上面全体を覆っている。ブロック板２２は、一定の厚みを有する板状に形成されており、そのブロック板２２の表面は、クッション部材１３の表面と略面一の状態で、取付け孔１７を介して外部に露出されている。このブロック板２２は、コンクリート、黒鉛珪石（スーパーブラックシリカ又はブラックシリカ）、樹脂等を混練した後、成形したものであり、このブロック板２２内には、黒鉛珪石が適度な大きさにした状態で含有されている。このため、ブロック板２２は、その内部の黒鉛珪石に基づき、遠赤外線、マイナスイオン等を放射、放出することになっており、このブロック板２２に基づき、いわゆる岩盤浴が行えることになつている。
【００２２】
前記座部用部材９は、図１〜図３に示すように、前記背部用部材８に隣り合うようにして支持台２上に配置されている。この座部用部材９は、入浴者の尻部分を支えることを目的としており、その支持台２の長手方向における長さは、他の寝床構成部材のうちで最も短くなっている。この座部用部材９は、支持板１２（前記支持板１２と基本的に同じ構成とされているため同符号を用いる）上にクッション部材１３（前記クッション部材１３と基本的に同じ構成とされているため同符号を用いる）が設けられる構造となっており、クッション部材１３は、支持板１２を介して支持台２上に固定されている。この座部用部材９の上面（クッション部材１３の上面）は、背部用部材８の上面が水平状態のとき、その上面と面一になるように設定されている。
【００２３】
前記上腿載置用部材１０は、図１〜図３に示すように、前記座部用部材９に隣り合うようにして支持台２上に載置されている。この上腿載置用部材１０は、入浴者の上腿部分を支えることを目的としており、その支持台２の長手方向における長さは、入浴者の上腿部分を考慮して設定されている。この上腿載置用部材１０は、その支持台２の長手方向における長さを除き、前記背部用部材８と同じ構成とされている。このため、上腿載置用部材１０において、背部用部材８と同じ構成要素については、同一符号を付してその説明を省略する。
【００２４】
前記下腿載置用部材１１は、図１〜図３に示すように、前記上腿載置用部材１０に隣り合うようにして支持台２上に載置されている。この下腿載置用部材１１は、入浴者の下腿部分を支えることを目的としており、その支持台２の長手方向における長さは、入浴者の下腿部分を考慮して設定されている。この下腿載置用部材１１も、その支持台２の長手方向における長さを除き、前記背部用部材８と同じ構成とされている。このため、下腿載置用部材１０においても、背部用部材８と同じ構成要素については、同一符号を付してその説明を省略する。
【００２５】
前記背部用部材８(支持板１２）と前記座部用部材９(支持板１２）とは、図２〜図４に示すように、一対のヒンジ２３を介して連結されている。一対のヒンジ２３は、支持台２の幅方向に間隔をあけて配置されており、その各ヒンジ２３は、支持台２の幅方向に延びる回動軸心を有している。このため、この一対のヒンジ２３により、背部用部材８は、支持台２上から図２中、反時計方向に起立動できることになっている。
【００２６】
前記座部用部材９(支持板１２）と前記上腿載置用部材１０(支持板１２）とは、図２、図３に示すように、一対のヒンジ２４を介して連結されている。この一対のヒンジ２４も、支持台２の幅方向に間隔をあけて配置されており、その各ヒンジ２４は、支持台２の幅方向に延びる回動軸心を有している。このため、この一対のヒンジ２４により、上腿載置用部材１０は、支持台２上から図２中、時計方向に起立動できることになっている。
【００２７】
前記上腿載置用部材１０の起立端部(支持版２）と前記下腿載置用部材１１(支持板１２）とは、図２、図３に示すように、一対のヒンジ２５を介して連結されている。この一対のヒンジ２５も、支持台２の幅方向に間隔をあけて配置されており、その各ヒンジ２５は、支持台２の幅方向に延びる回動軸心を有している。このため、上腿載置用部材１０が起立動したときには、それに連動して、下腿載置用部材１１は、その上腿載置用部材１０との連結部分が立ち上がる一方で、その下腿載置用部材１１の外端部が支持台２の長手方向一方（内方）側にスライドして、図２中、反時計方向に起立動することになっている。
【００２８】
前記背部用部材８には、図２，図５に示すように、姿勢変更機構２６が関連づけられている。姿勢変更機構２６は、支持台２（長手方向他方側部分）に固定される支持筒２７と、その支持筒２７に一端側が回転可能に支持され他端側が操作部とされるハンドル２８と、支持台２の下方側にその長手方向に延びるように配設されてその一端部がハンドル２８の一端側に連結されているねじ棒２９と、そのねじ棒２９の他端側に螺合されるナット３０と、そのナット３０を一端側に相対回転不能に保持しその他端側が背部用部材８に延びる移動筒３１と、その移動筒３１の他端部と背部用部材８（取付け板３２）とを連結するリンク３３とを備えている。これにより、ハンドル２８の回転操作時には、移動筒３１（ナット３０）が支持台２の長手方向に変位動(往復動）して、その移動筒３１の変位動が、一対のヒンジ２３、リンク３３により、背部用部材８の起倒動に変換されることになり、ハンドル２８の操作を行わないときには、背部用部材８の姿勢状態が保持されることになっている。
【００２９】
前記上腿載置用部材１０にも、図３に示すように、姿勢変更機構３４が関連づけられている。この姿勢関連機構３４も、基本的に、前記姿勢変更機構２６と同様の構成となっており、その姿勢変更機構３４を利用することにより、上腿載置用部材１０を起倒動させることができ、それに連動して、下腿載置用部材１１も起倒動できることになっている。
この場合、上腿載置用部材１０は、図２中、時計方向に起立動することになっている(図２中、仮想線参照）。このため、姿勢変更機構３４は、その移動筒(図示略）を支持台２の他方側(図２中、左側）に変位動させて、上腿載置用部材１０に一体化されたリンク４１を、ヒンジ２４の回動軸心を中心として、図２中、時計方向に回動させることになる。
【００３０】
このような乾式入浴装置１においては、寝床３を略水平な面として形成できることは勿論、その寝床３を構成する背部用部材８、上腿載置用部材１０及び下腿載置用部材１１の姿勢を変更することができ、岩盤浴に際して、入浴者は、快適な姿勢をとることができる。
【００３１】
具体的には、背部用部材８を起立姿勢（傾斜状態を含む）とすることにより、入浴者は、その上半身を起こした状態にでき、全身を水平な寝床３に伏した状態に拘束されることはなくなる。このため、入浴者は、水平な寝床３に伏した姿勢から解放されることに基づき、リラックス感を十分に堪能できると共に、読書、手編み等、いわゆる岩盤浴以外のことも同時に行えることになり、岩盤浴を退屈でないものにできる。
しかもこの場合、入浴者の尻部分には座部用部材９のクッション部材１３が位置して、入浴者の尻部分から入る荷重を座部用部材９に効果的に分散でき、入浴者は、一層快適な状態を得ることができることになる。
【００３２】
また、上記背部用部材８の起立姿勢に伴い、上腿載置用部材１０を起立させると共に、それに連動させて下腿載置用部材１１を起立させて、その両者の連結部付近を支持台２から持ち上げた姿勢（山形状）にできる（図２中、、仮想線参照）。このため、入浴者は、その膝部分を、上腿載置用部材１０と下腿載置用部材１１との連結部分にあてがって、膝を曲げた状態にでき、上半身を起こしている際に、極めて楽な状態となる。
しかもこの場合、上腿載置用部材１０と下腿載置用部材１１との連結部分（境界部分）付近が、クッション部材１３が存在するクッション存在領域３５となっており、膝からの荷重を効果的に分散できる。このため、入浴者は、膝を曲げる姿勢をとる場合においても、快適な状態を維持できることになる。
【００３３】
以上実施形態について説明したが、本考案にあっては、次のような態様を包含する。
（１）ヒータ２０の温度調整を、予め、黒鉛珪石が遠赤外線等を最も効果的に放射する温度に設定しておくこと。
（２）ブロック板（黒鉛珪石）２２の熱供給手段として温水（温水パイプ）を用いること。
（３）小柄な入浴者を考慮して、座部用部材９を省き、上腿載置用部材１０を、背部用部材８に隣り合うように配置すると共に、支持台２に起倒動可能に支持すること。この場合、上腿載置用部材１０におけるクッション部材１３の存在領域を、背部用部材８との隣り合う付近において、支持台２の長手方向他方側（背部用部材８から遠のく側）に向けて拡大することが好ましい。小柄な入浴者の尻部分をクッション部材１３により的確に受け止めるためである。
（４）背部用部材８、上腿載置用部材１０及び下腿載置用部材１１の各部材において、前記実施形態に係るブロック板２２よりも小さいブロック板２２を複数設けること。例えば、各ブロック板２２の形状を帯状とし、その複数の帯状のブロック板２２を、その各幅方向を支持台２の幅方向に向けつつ同方向に間隔をあけて配列したり、或いは各ブロック板２２の幅方向を支持台２の長手方向に向けつつ該支持台２の長手方向に間隔をあけて配列することが好ましい。これにより、背部用部材８、上腿載置用部材１０及び下腿載置用部材１１の各部材において、遠赤外線効果の低下を極力抑えつつ、ブロック板２２の使用量（面積）を減らすことができることになる。
（５）上腿載置用部材１０のブロック板２２と下腿載置用部材１１のブロック板２２とのの間に設けるクッション部材として、上腿載置用部材１０自体が有するクッション部材１３、下腿載置用部材１１自体が有するクッション部材１３に限らず、別途、設けるものも含まれること。
【００３４】
尚、本考案の目的は、明記されたものに限らず、実質的に好ましい或いは利点として載されたものに対応したものを提供することをも含むものである。
【図面の簡単な説明】
【００３５】
【図１】実施形態に係る入浴装置を示す斜視図。
【図２】実施形態に係る入浴装置を示す側面図。
【図３】図１の平面図。
【図４】図３の４Ｘ−４Ｘ線拡大断面図。
【図５】実施形態に係る姿勢変更機構を示す説明図。
【符号の説明】
【００３６】
１  入浴装置
３  寝床
８  背部用部材(寝床構成部材）
９  座部用部材(寝床構成部材）
１０  上腿載置用部材(寝床構成部材）
１１  下腿載置用部材(寝床構成部材）
１３  クッション部材
２０  ヒータ(熱供給手段）
２３  ヒンジ
２４  ヒンジ
２５  ヒンジ
２６  姿勢変更機構
３４  姿勢変更機構
３５  クッション存在領域
【図１】
0003117286.tif 000003
【図２】
0003117286.tif 000004
【図３】
0003117286.tif 000005
【図４】
0003117286.tif 000006
【図５】
0003117286.tif 000007